(57)【特許請求の範囲】
【請求項１】
野球バット用の収納空間を備える筒状のバッグ本体に、運搬操作用の把持部が設けられている野球バット用バッグであって、
前記バッグ本体には、前記収納空間を囲う発泡スチロール層と、前記発泡スチロール層を外側から覆う硬質素材製の保形層と、前記保形層を外側から覆う軟質素材製の衝撃緩衝層が備えられている野球バット用バッグ。
【請求項２】
前記バッグ本体が、前記保形層と前記衝撃緩衝層とを備える主ケースと、前記主ケースに内装可能で且つ前記発泡スチロール層を備える副ケースとから構成されているとともに、
前記副ケースが、前記主ケースに対して着脱操作自在に構成されている請求項１記載の野球バット用バッグ。
【請求項３】
前記副ケースの外周面が、角筒状に形成されているとともに、
前記主ケースの内周面が、前記副ケースの各外角部に内接する状態で前記副ケースを内装可能な円筒状に形成されている請求項２記載の野球バット用バッグ。
【請求項４】
前記副ケースが、横断面視台形状の縦長の発泡スチロール板の３個以上を短辺方向に接合して構成された角筒状部材から構成されている請求項３記載の野球バット用バッグ。
【発明の詳細な説明】
【技術分野】
【０００１】
本発明は、例えば、野球やソフトボールに使用される野球バットを用具倉庫等と試合会場等との間で運搬するのに使用される野球バット用バッグに関し、詳しくは、野球バット用の収納空間を備える筒状のバッグ本体に、運搬操作用の把持部が設けられている野球バット用バッグに関する。
【背景技術】
【０００２】
従来、この種の野球バット用バッグでは、前記バッグ本体が皮革やナイロン生地から構成されていた（例えば、下記特許文献１参照）。
【特許文献１】実開昭６０−１３１６５号公報
【発明の開示】
【発明が解決しようとする課題】
【０００３】
ところが、皮革やナイロン生地からバッグ本体が構成されている上記従来の野球バット用バッグでは、以下の問題がある。
【０００４】
（１）バッグ本体を構成する皮革やナイロン生地が、透湿係数が高くて湿気を通し易いため、運搬先の湿度や運搬途中の通過地の湿度によって、バッグ本体の内部の収納空間の湿度が変化することになる。そのため、木製の野球バットの含水率が変化することになって、選手毎にグラム単位で設定されたバット重量が実際の使用時には異なるバット重量になってしまう。また、含水率によって木材の撓み剛性も変化することから、木製の野球バットの反発性能や耐久性能も実際の使用時には所期性能とは異なる性能になってしまう。
【０００５】
（２）バッグ本体を構成する皮革やナイロン生地は、断熱性能が低いため、運搬先の温度や運搬途中の通過地の温度によって、バッグ本体の内部の収納空間の温度が大きく変化することになる。そのため、温度の変化に伴い硬度が変化する金属製の野球バットの硬度が変化することになって、金属製の野球バットの反発性能が実際の使用時には所期性能とは異なる性能になってしまう。
【０００６】
本発明は、上述の実情に鑑みて為されたものであって、その主たる課題は、運搬後の実際の使用時において、野球バットに所期の性能を十分に発揮させることのできる野球バット用バッグを提供する点にある。
【課題を解決するための手段】
【０００７】
本発明の第１特徴構成は、野球バット用バッグに係り、その特徴は、
野球バット用の収納空間を備える筒状のバッグ本体に、運搬操作用の把持部が設けられている野球バット用バッグであって、
前記バッグ本体には、前記収納空間を囲う発泡スチロール層と、前記発泡スチロール層を外側から覆う硬質素材製の保形層と、前記保形層を外側から覆う軟質素材製の衝撃緩衝層が備えられている点にある。
【０００８】
上記構成によれば、透湿係数が低く且つ断熱性能が高い発泡スチロール層でもって、収納空間内の湿度変化と温度変化を抑止することができるから、運搬先の温湿度や運搬途中の通過地の温湿度の影響によって、木製の野球バットの含水率が変化したり、金属製の野球バットの硬度が変化したりするのを効果的且つ効率的に防止することができる。したがって、運搬後の実際の使用時において野球バットに所期の性能を十分に発揮させることができる。
【０００９】
しかも、野球バットがある程度重量があるために運搬途中で地面に下ろすことが多いことに対し、発泡スチロールが耐衝撃耐久性に優れていないため、運搬途中で発泡スチロール層が破損し易いが、当該発泡スチロール層を外側から覆う硬質素材製の保形層とこれをを外側から覆う軟質素材製の衝撃緩衝層が備えられているから、衝撃緩衝層でもって内側に伝わる衝撃力を全体的に和らげながら保形層でもって衝撃力を広域に分散させる形態で発泡スチロール層への衝撃力を効果的に低減することができる。したがって、運搬途中で発泡スチロール層が破損することを効果的且つ効率的に抑止することができる。
【００１０】
本発明の第２特徴構成は、第１特徴構成の実施に好適な構成であり、その特徴は、
前記バッグ本体が、前記保形層と前記衝撃緩衝層とを備える主ケースと、前記主ケースに内装可能で且つ前記発泡スチロール層を備える副ケースとから構成されているとともに、
前記副ケースが、前記主ケースに対して着脱操作自在に構成されている点にある。
【００１１】
上記構成によれば、例えば、運搬先や運搬経路における温度や湿度の影響の多少や距離の大小などに応じ、副ケースを装着した使用状態と副ケースを装着しない使用状態とに選択的に使い分けることができる。
【００１２】
本発明の第３特徴構成は、第２特徴構成の実施に好適な構成であり、その特徴は、
前記副ケースの外周面が、角筒状に形成されているとともに、
前記主ケースの内周面が、前記副ケースの各外角部に内接する状態で前記副ケースを内装可能な円筒状に形成されている点にある。
【００１３】
上記構成によれば、副ケースの外周面の大部分を構成する角部間の面状部分と主ケースとの間に空間を形成することができるから、その空間部分に対応する部位への衝撃力に対し保形層を空間側に撓ませる形態で副ケースに伝わる衝撃力を効果的に低減することができ、これにより、運搬途中で発泡スチロール層が破損することを一層効果的且つ効率的に抑止することができる。
【００１４】
本発明の第４特徴構成は、第３特徴構成の実施に好適な構成であり、その特徴は、
前記副ケースが、横断面視台形状の縦長の発泡スチロール板の３個以上を短辺方向に接合して構成された角筒状部材から構成されている点にある。
【００１５】
上記構成によれば、多用途に使用される一般的な板状の発泡スチロール板を加工することによって角筒状部材からなる副ケースを製造することができるから、例えば、専用の角筒状の発泡スチロール部材を成形した上で角筒状部材からなる副ケースを製造する場合に比べ、大量生産による製造コストの低廉化を図り易くすることができる。
【発明を実施するための最良の形態】
【００１６】
図１は、野球バットＢの複数本を収納可能な野球バット用バッグ１を示し、この野球バット用バッグ１は、野球バット用の収納空間Ｓを備える筒状のバッグ本体２に、運搬操作用の把持部３を設けて構成されている。
【００１７】
当該把持部３は、バッグ本体２の長手方向中央部位の下面部から両側面部の上下中間位置に亘る部位に取り付けられた一対の手提げ用のバンド部材３ａと、バッグ本体２の上面部に取り付けられた肩掛け用のバンド部材３ｂとから構成されている。
【００１８】
前記バッグ本体２には、図１〜５に示すように、前記収納空間Ｓを囲う発泡スチロール製の発泡スチロール層５と、前記発泡スチロール層５を外側から覆う硬質素材製の保形層６と、前記保形層６を外側から覆う軟質素材製の衝撃緩衝層７とが備えられている。
【００１９】
そのため、運搬中に横姿勢で野球バット用バッグ１を地面に下ろしたとき、前記衝撃緩衝層７でもって内側（すなわち、収納空間Ｓの側）に伝わる衝撃力を全体的に和らげつつ保形層６でもって衝撃力を広域に分散させる形態で、発泡スチロール層５への衝撃力を効果的に低減することができる。
【００２０】
具体的には、前記バッグ本体２は、前記保形層６と前記衝撃緩衝層７を備える円筒状（筒状の一例）の主ケース８と、前記主ケース８に内装可能で且つ前記発泡スチロール層５を備える角筒状（筒状の一例）の副ケース９とから構成されている。
【００２１】
前記副ケース９は、図２、図４、図５に示すように、横断面視台形状の縦長の発泡スチロール製の側板１０ａの８個（３個以上の一例）を両面テープ（接合手段の一例）によって短辺方向で面接合するとともに、当該側板１０ａの一端面に正八角形状の発泡スチロール製の底板１０ｂを両面テープによって面接合して構成された一端閉塞構造の角筒状部材１０から構成されている。
【００２２】
また、前記副ケース９には、当該角筒状部材１０に内装されるナイロン製等の薄い柔軟な内袋１１と、当該角筒状部材１０の先端開口部１０ｄを開閉する内蓋部材１２とが備えられている。
【００２３】
当該内蓋部材１２は、図５、図６に示すように、前記角筒状部材１０の横断面視における外縁形状と同じ形状の発泡スチロール製の第１蓋板１３ａの中央部に、角筒状部材１０の横断面視における内縁形状と同じ形状の発泡スチロール製の第２蓋板１３ｂを積層接着した基板部材１３をナイロン製等の薄い柔軟な蓋袋１４に収納して構成されている。
【００２４】
さらに、前記第２蓋板１３ｂの中央部には、シリカゲル等の吸湿剤１５が装填される凹部１３ｄが形成されているとともに、前記蓋袋１４の前記凹部１３ｄに対応する部位には、凹部１３ｄと収納空間Ｓとを連通させるメッシュ素材からなる連通部１４ａが備えられている。
【００２５】
つまり、副ケース９は、内蓋部材１２で角筒状部材１０の先端開口部１０ｄを閉じた状態では、透湿係数が低く且つ断熱性能が高い発泡スチロールでもって収納空間Ｓをほぼ密封することができ、これにより、収納空間内の湿度変化と温度変化を大幅に抑止することができる。そして、密封状態での吸湿剤１５による吸湿作用により収納空間Ｓを低湿度に保つことができるから、特に、木製の野球バットの運搬に大きな効果を発揮することができる。
【００２６】
また、蓋袋１４には、前記基板部材１３の挿脱口を開閉する開閉操作部１４ｂが備えられており、吸湿剤１５の交換等の作用を適宜に行い得るように構成されている。当該開閉操作部１４ｂは、蓋袋１４の外周部において周方向に沿って延設された金属製のスライドファスナー（開閉操作手段の一例）から構成されている。
【００２７】
前記主ケース８は、図２、図４、図５に示すように、前記保形層６の外側に前記衝撃緩衝層７を接着状態で配層した円筒状の基筒部材１６をナイロン製等の外袋１７で被覆して構成されている。
【００２８】
前記主ケース８の内周面は、図４、図５に示すように、前記副ケース９の各外角部に内接する状態で副ケース９を内装可能な円筒状に形成されている。具体的には、主ケース８の内径寸法が、副ケース９の最外径寸法と同じ寸法（或いは、それよりも僅かに小さい寸法）で形成されている。
【００２９】
そのため、副ケース９の外周面の大部分を構成する角部間の面状部分と主ケース８との間に空間が形成されるから、その空間部分に対応する部位への衝撃力に対し保形層６を空間側（すなわち、内側）に撓ませる形態で副ケース９に伝わる衝撃力を効果的に低減することができる。なお、保形層６の撓み剛性を、最大収納本数の野球バットＢを収納した状態での衝撃力でも保形層６が副ケース９に接当しない撓み剛性などに設定してもよい。
【００３０】
前記保形層６は、硬質素材の一例である発泡ポリエチレン（具体的には、ベルポーレン（登録商標））から組成されている。一方、前記衝撃緩衝層７は、軟質素材の一例である発泡ウレタンから組成されている。なお、前記副ケース９を構成する発泡スチロールとしては、本例では、透湿係数や断熱性能の両面で特に好適なスタイロフォーム（登録商標）を採用している。
【００３１】
前記外袋１７の一端部（筒先端部）には、野球バット１を収納空間Ｓに挿脱操作するための挿脱口１７ａが形成されているとともに、外袋１７の他端部（筒底端部）には、基筒部材１６と同様の素材からなる円形状の底パット２１が備え付けられている。
【００３２】
また、前記外袋１７の一端部には、前記挿脱口１７ａを閉塞する外蓋部２０を開閉操作する開閉操作部１７ｂが設けられている。当該開閉操作部１７ｂは、外袋１７の一端部の外周面に周方向に沿って延設された金属製のスライドファスナー（開閉操作手段の一例）から構成されている。
【００３３】
さらに、前記外袋１７の一端部の内面側には、雄型係止体１９ａと雌型係止体１９ｂからなるサイドリリース型のワンタッチバックル１９Ａを介して脱着自在な一対の保持バンド１９、１９が設けられている。当該保持バンド１９、１９は、それらの先端部どうしを連結した状態で副ケース９の内蓋部材１２を収納空間Ｓの側に拘束保持する長さ寸法で構成されている。
【００３４】
［その他の実施形態］
（１）発泡スチロール層５、保形層６、衝撃緩衝層７の素材種や形状等の具体的構成は、前述の実施形態で示した構成に限らず、種々の構成変更が可能であり、例えば、保形層や衝撃緩衝層が把持状態における下面部位だけに備えられていたりしてもよい。
【００３５】
（２）前述の実施形態では、保形層６と衝撃緩衝層７とが接着状態で積層されている場合を例に示したが、例えば、非接着状態で積層されていたり、或いは、別部材を介して積層されていたりしてもよい。
【００３６】
（３）前述の実施形態では、発泡スチロール層５と保形層６との間に別部材が存在しない場合を例に示したが、例えば、軟質素材製の第２の衝撃緩衝層などが介装されていてもよい。
【００３７】
（４）前述の実施形態では、副ケース９が主ケース８に対して着脱操作自在に構成されている場合を例に示したが、副ケース９が主ケース８に着脱操作不能に組み付けられていてもよい。
【図面の簡単な説明】
【００３８】
【図１】野球バット用バッグの斜視図
【図２】野球バット用バッグの分解斜視図
【図３】野球バット用バッグの挿脱口部分の説明図
【図４】野球バット用バッグの横断面図
【図５】野球バット用バッグの縦断面図
【図６】内蓋部材の説明図
【符号の説明】
【００３９】
Ｓ          収納空間
１          野球バット用バッグ
２          バッグ本体
３          把持部
５          発泡スチロール層
６          保形層
７          衝撃緩衝層
８          主ケース
９          副ケース
１０ａ      発泡スチロール板
１０        角筒状部材
【図１】
0004724201.tif 000002
【図２】
0004724201.tif 000003
【図３】
0004724201.tif 000004
【図４】
0004724201.tif 000005
【図５】
0004724201.tif 000006
【図６】
0004724201.tif 000007